(57)【要約】【課題】支持材を介して排水トラップを架台に取り付ける場合にも、支持材に縦揺れが発生することを抑制できる浴室床構造を提供する。【解決手段】枠状に形成された枠部と、前記枠部から下方に延び、前記枠部を支持する複数の支持脚部と、を有する架台と、上下方向に貫通する排水口を有し、前記架台の前記枠部の上に載置される床基材と、前記床基材の下方から前記排水口に接続される排水トラップと、前記枠部の内側を向く側面に取り付けられた状態で、前記排水トラップを支持することにより、前記排水トラップを前記架台に取り付ける支持材と、を備え、前記支持材は、前記枠部の前記側面に当接する当接部と、前記当接部から前方に延び、前記排水トラップを支持する支持部と、前記当接部と前記支持部との間に設けられ、前記支持部の縦揺れを抑制する縦揺れ抑制部と、を有することを特徴とする浴室床構造である。【選択図】図２
2020147942.tif 000002
【特許請求の範囲】
【請求項１】
枠状に形成された枠部と、前記枠部から下方に延び、前記枠部を支持する複数の支持脚部と、を有する架台と、
上下方向に貫通する排水口を有し、前記架台の前記枠部の上に載置される床基材と、
前記床基材の下方から前記排水口に接続される排水トラップと、
前記枠部の内側を向く側面に取り付けられた状態で、前記排水トラップを支持することにより、前記排水トラップを前記架台に取り付ける支持材と、
を備え、
前記支持材は、
前記枠部の前記側面に当接する当接部と、
前記当接部から前方に延び、前記排水トラップを支持する支持部と、
前記当接部と前記支持部との間に設けられ、前記支持部の縦揺れを抑制する縦揺れ抑制部と、
を有することを特徴とする浴室床構造。
【請求項２】
前記縦揺れ抑制部は、前記支持部から前記当接部側に延出し、前記当接部と接続された延出部であることを特徴とする請求項１記載の浴室床構造。
【請求項３】
前記縦揺れ抑制部は、前記当接部から前記支持部側に延出し、前記支持部と接続された延出部であることを特徴とする請求項１記載の浴室床構造。
【請求項４】
前記支持部は、前記当接部と反対側の端部に半円状に切り欠かれた切り欠き部を有し、
前記延出部は、左右方向において前記切り欠き部よりも内側に設けられていることを特徴とする請求項２又は３に記載の浴室床構造。
【請求項５】
前記縦揺れ抑制部は、前記当接部と前記支持部との境界部分において、前記当接部の一部及び前記支持部の一部を入隅側に押し出すように曲げた曲げ部であることを特徴とする請求項１記載の浴室床構造。
【請求項６】
前記支持部は、前記当接部と反対側の端部に半円状に切り欠かれた切り欠き部を有し、
前記曲げ部は、左右方向において前記切り欠き部よりも内側に設けられていることを特徴とする請求項４記載の浴室床構造。
【発明の詳細な説明】
【技術分野】
【０００１】
本発明の態様は、一般的に、浴室床構造に関する。
【背景技術】
【０００２】
高さを調節可能な調節脚を備えた架台の上に床基材を載置することで構成される浴室床が知られている。床基材は、床面に流れた水を外部に排出するための排水口を有する。排水口には、悪臭や虫などの浴室内への侵入を抑制するための排水トラップが接続される。排水トラップは、床基材の排水口に下方から接続される。このため、浴室床の組み立てにおいては、排水トラップを予め架台に取り付けた後に、床基材を架台の上に載置することが行われている。これにより、床基材と排水トラップとを接続し易くし、浴室床の組立性を向上させることができる。
【０００３】
排水トラップは、支持材を介して格子状の架台の内側の部分に取り付けられる。この際、支持材を架台の上に引っ掛ける構造にすると、支持材によって架台の上面に凹凸が生じ、床基材の載置の妨げとなる可能性が生じてしまう。このため、支持材は、架台の側面に当接させた状態で取り付けられる。これにより、架台の上面に凹凸が生じてしまうことを抑制することができる。
【０００４】
支持材は、架台の側面に当接した状態で架台に取り付けられる当接部と、当接部から水平方向に延び、排水トラップを支持する支持部と、を有する。これにより、支持材を架台の側面に取り付け、支持材を介して排水トラップを架台に取り付けることができる。
【０００５】
しかしながら、支持材を上記のように構成すると、排水トラップを支持材に取り付けたり、取り付けた排水トラップに対して配管を接続したりする際に、支持部が撓み、支持部に縦揺れが発生してしまう場合がある。
【０００６】
排水トラップに接続される配管には、排水トラップから離れるに従って下降傾斜する排水勾配を設ける必要がある。この際、支持部に縦揺れが発生してしまうと、配管の排水勾配を調節した後に、支持部の縦揺れによって排水勾配が変化してしまう可能性が生じる。例えば、作業者が配管などを掴んで排水勾配を設定する際に、支持部が下方に撓んでしまうと、排水勾配を設定して作業者が手を離した後に、支持部の撓みが戻り、排水勾配が目標よりも小さくなってしまう可能性が生じる。この場合、排水勾配を再度調節しなければならず、浴室床の組み立てに手間がかかってしまう。
【先行技術文献】
【特許文献】
【０００７】
【特許文献１】特開平８−１６５６９２号公報
【発明の概要】
【発明が解決しようとする課題】
【０００８】
本発明は、かかる課題の認識に基づいてなされたものであり、支持材を介して排水トラップを架台に取り付ける場合にも、支持材に縦揺れが発生することを抑制できる浴室床構造を提供することを目的とする。
【課題を解決するための手段】
【０００９】
第１の発明は、枠状に形成された枠部と、前記枠部から下方に延び、前記枠部を支持する複数の支持脚部と、を有する架台と、上下方向に貫通する排水口を有し、前記架台の前記枠部の上に載置される床基材と、前記床基材の下方から前記排水口に接続される排水トラップと、前記枠部の内側を向く側面に取り付けられた状態で、前記排水トラップを支持することにより、前記排水トラップを前記架台に取り付ける支持材と、を備え、前記支持材は、前記枠部の前記側面に当接する当接部と、前記当接部から前方に延び、前記排水トラップを支持する支持部と、前記当接部と前記支持部との間に設けられ、前記支持部の縦揺れを抑制する縦揺れ抑制部と、を有することを特徴とする浴室床構造である。
【００１０】
この浴室床構造によれば、排水トラップを支持材に取り付けたり、取り付けた排水トラップに対して配管を接続したりする際にも、当接部と支持部との間に設けられた縦揺れ抑制部により、支持材の支持部に縦揺れを発生し難くさせることができる。
【００１１】
第２の発明は、第１の発明において、前記縦揺れ抑制部は、前記支持部から前記当接部側に延出し、前記当接部と接続された延出部であることを特徴とする浴室床構造である。
【００１２】
この浴室床構造によれば、延出部が、支持部から当接部側に延出し、当接部と接続されていることにより、支持材の支持部に縦揺れをより発生し難くさせることができる。
【００１３】
第３の発明は、第１の発明において、前記縦揺れ抑制部は、前記当接部から前記支持部側に延出し、前記支持部と接続された延出部であることを特徴とする浴室床構造である。
【００１４】
この浴室床構造によれば、延出部が、当接部から支持部側に延出し、支持部と接続されていることにより、支持材の支持部に縦揺れをより発生し難くさせることができる。
【００１５】
第４の発明は、第２又は第３の発明において、前記支持部は、前記当接部と反対側の端部に半円状に切り欠かれた切り欠き部を有し、前記延出部は、左右方向において前記切り欠き部よりも内側に設けられていることを特徴とする浴室床構造である。
【００１６】
この浴室床構造によれば、延出部が、左右方向において切り欠き部よりも内側に設けられていることにより、支持材の支持部に縦揺れを、さらに発生し難くさせることができる。
【００１７】
第５の発明は、第１の発明において、前記縦揺れ抑制部は、前記当接部と前記支持部との境界部分において、前記当接部の一部及び前記支持部の一部を入隅側に押し出すように曲げた曲げ部であることを特徴とする浴室床構造である。
【００１８】
この浴室床構造によれば、曲げ部が、当接部と支持部との境界部分において、当接部の一部及び支持部の一部を入隅側に押し出すように曲げられていることにより、支持材の支持部に縦揺れをより発生し難くさせることができる。
【００１９】
第６の発明は、第４の発明において、前記支持部は、前記当接部と反対側の端部に半円状に切り欠かれた切り欠き部を有し、前記曲げ部は、左右方向において前記切り欠き部よりも内側に設けられていることを特徴とする浴室床構造である。
【００２０】
この浴室床構造によれば、曲げ部が、左右方向において切り欠き部よりも内側に設けられていることにより、支持材の支持部に縦揺れを、さらに発生し難くさせることができる。
【発明の効果】
【００２１】
本発明の態様によれば、支持材を介して排水トラップを架台に取り付ける場合にも、支持材に縦揺れが発生することを抑制できる浴室床構造が提供される。
【図面の簡単な説明】
【００２２】
【図１】実施形態に係る浴室を模式的に表す斜視図である。
【図２】実施形態に係る浴室の浴室床構造を模式的に表す斜視図である。
【図３】実施形態に係る支持体を模式的に表す斜視図である。
【図４】実施形態に係る支持体及び排水トラップを模式的に表す断面図である。
【図５】実施形態に係る支持体の変形例を模式的に表す斜視図である。
【図６】実施形態に係る支持体の変形例を模式的に表す斜視図である。
【図７】実施形態に係る支持体の変形例を模式的に表す斜視図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、実施形態に係る浴室を模式的に表す斜視図である。  
図１に表したように、浴室１０は、架台１００と、床基材２００と、浴槽３００と、壁パネル４００と、ドア枠５００と、を備える。浴室１０は、建築の浴室設置空間ＢＳ内に設置して使用される、いわゆるユニットバスやシステムバスである。
【００２４】
浴槽３００は、長手方向ＬＤに延びる。浴室１０を上方から見た形状は、例えば、矩形状である。浴槽３００を上方から見た形状は、例えば、長手方向ＬＤに延びる長方形状である。床基材２００は、例えば、浴槽３００の短手方向ＳＤにおいて浴槽３００と隣接して配置される。
【００２５】
架台１００は、床基材２００及び浴槽３００を支える。架台１００は、浴室設置空間ＢＳの設置面（例えば、建築の床）に設置され、床基材２００や浴槽３００にかかる荷重を受け、その位置を保持する。なお、浴槽３００を支える架台は、床基材２００を支える架台と別に設けてもよい。架台１００は、少なくとも床基材２００を支持可能に構成されていればよい。
【００２６】
浴室１０は、第１壁パネル４０１〜第７壁パネル４０７の複数の壁パネル４００を備える。浴室１０は、複数の壁パネル４００により、上方から見た状態において矩形状に配置された４つの壁面を構成する。また、浴室１０は、図示を省略した天井パネルをさらに備え、天井パネルによって、４つの壁面の上方を塞ぐ天井面を構成する。このように、浴室１０は、複数の壁パネル４００と天井パネルとによって、矩形状の空間を形成する。
【００２７】
第１壁パネル４０１及び第２壁パネル４０２は、浴槽３００のリム３０２の４つの周縁部のうち、床基材２００と反対側に位置し、長手方向ＬＤに延びるリム３０２の周縁部の上に載置される。
【００２８】
第３壁パネル４０３は、リム３０２の短手方向ＳＤに延びる２つの周縁部のうちの一方の周縁部の上に載置される。第４壁パネル４０４は、リム３０２の短手方向ＳＤに延びる２つの周縁部のうちの他方の周縁部の上に載置される。
【００２９】
第５壁パネル４０５は、床基材２００の短手方向ＳＤに延びる２つの周縁部のうちの一方の周縁部の上に載置される。
【００３０】
第６壁パネル４０６及び第７壁パネル４０７は、床基材２００の４つの周縁部のうち、浴槽３００と反対側に位置し、長手方向ＬＤに延びる周縁部の上に載置される。
【００３１】
また、図１に表した浴室１０では、第４壁パネル４０４と第７壁パネル４０７との間にドア枠５００が設けられている。ドア枠５００は、壁パネル４００の一部として設けてもよいし、壁パネル４００の一部ではなく単独として設けてもよい。
【００３２】
隣接する壁パネル４００の間には、隣接する壁パネル４００同士を連接する壁面接続部材（ジョイナー）４２０が設けられている。壁面接続部材４２０は、例えば、床基材２００の周縁部および浴槽３００のリム３０２の周縁部に設けられた壁面固定部材（ジョイナー取付部）により保持されている。
【００３３】
なお、本実施形態における壁パネル４００の構成は、上記に限定されるものではない。この例では、浴室１０の１つの面を２枚の壁パネル４００で構成している。これに限ることなく、浴室１０の１つの面は、１枚の壁パネル４００で構成してもよいし、３枚以上の壁パネル４００で構成してもよい。また、浴室１０の１つの面を構成する壁パネル４００の数は、浴室１０の４つの面において異なっていてもよい。
【００３４】
図２は、実施形態に係る浴室の浴室床構造を模式的に表す斜視図である。  
図２に表したように、架台１００は、枠部１１０と、複数の支持脚部１２０と、を有する。枠部１１０は、枠状に形成されている。枠部１１０は、例えば、枠本体１１２と、補強材１１４と、を有する。
【００３５】
枠本体１１２は、上方から見た状態において矩形状に形成されている。枠本体１１２は、例えば、浴槽３００の長手方向ＬＤに延びる一対の棒状の構造材１１２ａと、浴槽３００の短手方向ＳＤに延びる一対の棒状の構造材１１２ｂと、を有する。枠本体１１２は、４本の棒状の構造材１１２ａ、１１２ｂを矩形状に組み合わせたものである。
【００３６】
補強材１１４は、所定の方向に延びる棒状の構造材であり、枠本体１１２の内側の部分を仕切るように枠本体１１２に取り付けられることにより、枠本体１１２を補強する。枠部１１０は、例えば、複数の補強材１１４を有する。但し、補強材１１４は、必要に応じて設けられ、省略可能である。枠部１１０は、少なくとも矩形状の枠本体１１２を有していればよい。
【００３７】
複数の支持脚部１２０は、枠部１１０から下方に延び、枠部１１０を支持する。複数の支持脚部１２０は、例えば、ボルト部を回転させることで高さ調節可能な構造を有する。架台１００では、複数の支持脚部１２０の高さを調節することにより、例えば、床基材２００の水平面を確保することができる。
【００３８】
この例では、４つの支持脚部１２０を示している。支持脚部１２０の数は、４つに限ることなく、２つ又は３つでもよいし、５つ以上でもよい。支持脚部１２０の数は、枠部１１０を適切に支持可能な任意の数でよい。
【００３９】
架台１００は、床基材２００や浴槽３００にかかる荷重を受けるため、充分な強度を必要とする。架台１００の枠部１１０及び複数の支持脚部１２０には、例えば、鋼材が用いられる。架台１００の上面、すなわち枠部１１０の上面は、床基材２００の水平基準面となる。
【００４０】
床基材２００は、架台１００の枠部１１０の上に載置される。床基材２００は、浴室１０の外部への水の漏出を抑制する防水性を有する。なお、本願明細書において「水」という場合には、冷水のみならず、加温されたお湯も含むものとする。
【００４１】
床基材２００は、上下方向に貫通する排水口２０２を有する。床基材２００の排水口２０２を上から見た形状は、略円形である。排水口２０２は、断面略円形の貫通孔である。排水口２０２は、例えば、浴槽３００との境界部近傍に設けられる。排水口２０２が設けられた部分は、窪んでおり、床基材２００の表面には、排水口２０２に向けて下向き傾斜した排水勾配が付けられている。床基材２００は、床面に流れた水を排水口２０２から外部に排出する。
【００４２】
床基材２００は、例えば、熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。熱可塑性発泡樹脂は、リサイクル可能なため、これを用いることで床基材２００の製造・廃棄に伴うＣＯ２排出量を削減して環境に優しい製品を提供することができる。また、発泡樹脂は、他の成形法に比べて金型費用を低く抑えることができ、床基材２００の製造コストを抑えることもできる。
【００４３】
図２に表したように、浴室１０は、排水トラップ２２０と、支持材２４０と、をさらに備える。排水トラップ２２０は、床基材２００の下方から排水口２０２に接続される。排水トラップ２２０は、下水管などから浴室１０内への悪臭や虫などの侵入を抑制する。
【００４４】
排水トラップ２２０は、例えば、床接続部２２２と、浴槽接続部２２４と、配管接続部２２６と、を有する。床接続部２２２は、床基材２００の排水口２０２と接続される。浴槽接続部２２４は、浴槽３００の排水口（図示は省略）と接続される。配管接続部２２６は、配管２６０と接続される。
【００４５】
排水トラップ２２０は、床基材２００の排水口２０２及び浴槽３００の排水口に流れた水を配管２６０に排出する。配管２６０は、排水トラップ２２０から離れるに従って下降傾斜する排水勾配を有する。配管２６０は、排水トラップ２２０から排出された水を外部の下水管などに排出する。これにより、床基材２００及び浴槽３００から排出された水を、外部の下水管などに排出することができる。
【００４６】
このように、床基材２００及び浴槽３００は、共通の排水トラップ２２０を介して外部の下水管などと接続される。これにより、排水経路を複数設ける必要が無く、床基材２００及び浴槽３００のそれぞれに個別の排水管を接続する構成などと比べて、浴室１０の構成を簡単にすることができる。例えば、浴室１０の部品点数を少なくし、浴室１０の製造コストを抑えることができる。但し、床基材２００及び浴槽３００は、個別の排水経路を設けてもよい。排水トラップ２２０は、少なくとも床基材２００の排水口２０２と接続されていればよい。
【００４７】
床基材２００の排水口２０２には、例えば、パッキン２３０、ワッシャ２３２、及び締付フランジ２３４が取り付けられる。締付フランジ２３４は、円筒状に形成された円筒部２３４ａと、円筒部２３４ａの上端から外側に向かって突出するフランジ部２３４ｂと、を有する。
【００４８】
排水トラップ２２０の床接続部２２２は、略円形に形成されている。排水トラップ２２０の床接続部２２２の径、及び締付フランジ２３４の円筒部２３４ａの外径は、排水口２０２の径と同程度か、僅かに小さい程度に形成されている。締付フランジ２３４のフランジ部２３４ｂの外径は、排水口２０２の径よりも大きく形成されている。
【００４９】
排水トラップ２２０の床接続部２２２の内周面には、雌ネジが形成されている。締付フランジ２３４の円筒部２３４ａの外周面には、床接続部２２２の雌ネジと螺合する雄ネジが形成されている。
【００５０】
締付フランジ２３４は、上方から円筒部２３４ａを排水口２０２に挿通し、排水口２０２の周縁の上にフランジ部２３４ｂを係合させる。そして、締付フランジ２３４は、この状態で、締付フランジ２３４の円筒部２３４ａの雄ネジを床接続部２２２の雌ネジと螺合させることにより、排水トラップ２２０とフランジ部２３４ｂの間に床基材２００を挟む。
【００５１】
これにより、床基材２００の排水口２０２が、締付フランジ２３４を介して排水トラップ２２０の床接続部２２２と接続される。パッキン２３０及びワッシャ２３２は、床基材２００とフランジ部２３４ｂとの間に設けられ、床基材２００とフランジ部２３４ｂとの間の水密性を高める。床基材２００の表面に流れた水は、排水口２０２及び床接続部２２２を介して排水トラップ２２０に流れ、排水トラップ２２０を介して外部の下水管などに排出される。
【００５２】
支持材２４０は、架台１００の枠部１１０の内側を向く側面１１０ｓに取り付けられた状態で、排水トラップ２２０を支持することにより、排水トラップ２２０を架台１００に取り付ける。
【００５３】
排水トラップ２２０は、床基材２００を架台１００の上に載置する前に、支持材２４０によって予め架台１００に取り付けられる。これにより、床基材２００の下方から排水口２０２に排水トラップ２２０を接続する際にも、排水トラップ２２０の床接続部２２２を床基材２００の排水口２０２に接続し易くすることができる。従って、浴室１０の浴室床構造を組み立て易くすることができる。
【００５４】
支持材２４０は、例えば、枠部１１０の矩形状の枠本体１１２の内側を向く側面１１０ｓに取り付けられる。支持材２４０は、例えば、矩形状の枠本体１１２の長手方向ＬＤに延びる一対の構造材１１２ａのうち、浴槽３００側に配置される構造材１１２ａの内側を向く側面１１０ｓに取り付けられる。換言すれば、支持材２４０は、浴槽３００側に配置される構造材１１２ａの床基材２００側を向く側面１１０ｓに取り付けられる。
【００５５】
但し、支持材２４０を取り付ける側面１１０ｓは、上記に限ることなく、例えば、補強材１１４の側面などでもよい。支持材２４０を取り付ける側面１１０ｓは、排水トラップ２２０を排水口２０２と接続し易い位置に配置可能な枠部１１０の内側を向く任意の側面１１０ｓでよい。
【００５６】
図３は、実施形態に係る支持体を模式的に表す斜視図である。  
図３に表したように、支持材２４０は、当接部２４２と、支持部２４４と、延出部２４６（縦揺れ抑制部）と、を有する。
【００５７】
当接部２４２は、架台１００の枠部１１０の側面１１０ｓに当接する。支持材２４０は、例えば、当接部２４２を枠部１１０にネジ止めすることにより、架台１００に取り付けられる。
【００５８】
支持部２４４は、当接部２４２から前方に延び、排水トラップ２２０を支持する。以下では、支持部２４４の延びる方向を前方とする。前方は、換言すれば、側面１１０ｓの向く方向である。そして、前方と反対の方向を後方とし、上下方向及び前後方向と直交する方向を左右方向とする。
【００５９】
当接部２４２は、上下方向及び左右方向に延びる略垂直な板状である。支持部２４４は、前後方向及び左右方向に延びる略水平な板状である。支持部２４４は、当接部２４２の下端から前方に延びる。支持部２４４は、当接部２４２の下端と連続している。換言すれば、支持部２４４は、当接部２４２と一体に形成されている。支持材２４０には、鉄、アルミニウム、ステンレスなどの金属材料が用いられる。上記のような当接部２４２及び支持部２４４は、例えば、一枚の金属板を略９０°に折り曲げることによって形成可能である。
【００６０】
支持部２４４は、当接部２４２と反対側の端部に半円状に切り欠かれた切り欠き部２４４ａを有する。切り欠き部２４４ａは、換言すれば、略水平な板状の支持部２４４の前端部に設けられている。
【００６１】
図４は、実施形態に係る支持体及び排水トラップを模式的に表す断面図である。  
図４に表したように、排水トラップ２２０の床接続部２２２は、外側に向かって突出するフランジ部２２２ｆを有する。半円状の切り欠き部２４４ａの径は、フランジ部２２２ｆの径よりも小さい。支持部２４４は、切り欠き部２４４ａを排水トラップ２２０の略円形の床接続部２２２のフランジ部２２２ｆに下方から係合させることにより、排水トラップ２２０を支持する。
【００６２】
なお、切り欠き部２４４ａの形状は、必ずしも完全な半円でなくてもよい。切り欠き部２４４ａは、締付フランジ２３４を回転させて螺合させるために略円形に形成された床接続部２２２のフランジ部２２２ｆと係合できる程度に、概ね半円状に形成されていればよい。
【００６３】
また、当接部２４２及び支持部２４４の構成は、必ずしも上記に限定されるものではない。例えば、支持部２４４は、当接部２４２の上端から前方に延びる構成でもよい。支持部２４４は、折り曲げによって形成されるものに限ることなく、例えば、当接部２４２とは別に形成した後、溶接や接着などによって当接部２４２に取り付ける構成としてもよい。この場合、支持部２４４は、当接部２４２の上下方向の中央付近から前方に延ばしてもよい。当接部２４２及び支持部２４４の構成は、枠部１１０の側面１１０ｓに取り付けられた状態で、排水トラップ２２０を支持可能な任意の構成でよい。
【００６４】
延出部２４６は、当接部２４２と支持部２４４との間に設けられている。換言すれば、延出部２４６は、当接部２４２と支持部２４４との入隅に設けられる。延出部２４６は、当接部２４２と支持部２４４とを接続する。
【００６５】
延出部２４６は、支持部２４４から当接部２４２側に延出し、当接部２４２と接続されている。この例において、延出部２４６は、当接部２４２の下端に設けられた支持部２４４から上方に向かって延出する。延出部２４６は、例えば、上下方向及び前後方向に延びる板状である。延出部２４６は、支持部２４４から当接部２４２側に延出し、当接部２４２の前面に当接する。延出部２４６は、例えば、当接部２４２の前面に当接した状態で、当接部２４２に対して溶接や接着などを行われることにより、当接部２４２と接続される。
【００６６】
延出部２４６は、支持部２４４と連続している。換言すれば、延出部２４６は、支持部２４４と一体に形成されている。このような、延出部２４６は、例えば、支持部２４４の一部に切れ込みを入れ、上方に向けて折り曲げた後、溶接や接着などで当接部２４２と接続することによって形成可能である。
【００６７】
これにより、延出部２４６は、当接部２４２と支持部２４４との間に設けられ、支持部２４４の縦揺れを抑制する縦揺れ抑制部として機能する。支持部２４４の縦揺れは、換言すれば、支持部２４４の上下方向への撓みである。
【００６８】
支持材２４０は、左右方向に並べて設けられた２つの延出部２４６を有する。但し、延出部２４６の数は、２つに限ることなく、１つでもよいし、３つ以上でもよい。
【００６９】
２つの延出部２４６は、左右方向において切り欠き部２４４ａよりも内側に設けられている。換言すれば、２つの延出部２４６は、左右方向において、切り欠き部２４４ａの左右方向の最大の幅Ｗｍａｘの内側に設けられている。
【００７０】
以上、説明したように、本実施形態に係る浴室１０の浴室床構造によれば、排水トラップ２２０を支持材２４０に取り付けたり、支持材２４０に取り付けた排水トラップ２２０に対して配管２６０を接続したりする際にも、当接部２４２と支持部２４４との間に設けられた延出部２４６を、支持部２４４の縦揺れを抑制する縦揺れ抑制部として機能させることにより、支持材２４０の支持部２４４に縦揺れを発生し難くさせることができる。
【００７１】
そして、これにより、配管２６０の排水勾配を調節した後に、支持部２４４の縦揺れによって排水勾配が変化してしまうことを抑制することができる。従って、配管２６０の排水勾配を再度調整するなどの手間が発生することを抑制し、浴室１０の浴室床の組立性を向上させることができる。
【００７２】
また、本実施形態に係る浴室１０の浴室床構造では、縦揺れ抑制部が、支持部２４４から当接部２４２側に延出し、当接部２４２と接続された延出部２４６である。このように、延出部２４６が、支持部２４４から当接部２４２側に延出し、当接部２４２と接続されていることにより、支持材２４０の支持部２４４に縦揺れをより発生し難くさせることができる。従って、配管２６０の排水勾配を再度調整するなどの手間が発生することを、より確実に抑制し、浴室１０の浴室床の組立性をより向上させることができる。
【００７３】
また、本実施形態に係る浴室１０の浴室床構造では、支持部２４４が、当接部２４２と反対側の端部に半円状に切り欠かれた切り欠き部２４４ａを有し、延出部２４６が、左右方向において切り欠き部２４４ａよりも内側に設けられている。これにより、支持材２４０の支持部２４４に縦揺れを、さらに発生し難くさせることができる。
【００７４】
図５は、実施形態に係る支持体の変形例を模式的に表す斜視図である。  
なお、上記実施形態と機能・構成上実質的に同じものについては、同符号を付し、詳細な説明は省略する。  
図５に表したように、支持材２４０ａでは、上記実施形態の延出部２４６が、延出部２４８に置き換えられている。
【００７５】
延出部２４８は、当接部２４２から支持部２４４側に延出し、支持部２４４と接続されている。延出部２４８は、当接部２４２から前方に向かって延出する。延出部２４８は、例えば、上下方向及び前後方向に延びる板状である。延出部２４８は、当接部２４２から支持部２４４側に延出し、当接部２４２の下端に設けられた支持部２４４の上面に当接する。延出部２４８は、例えば、支持部２４４の上面に当接した状態で、支持部２４４に対して溶接や接着などを行われることにより、支持部２４４と接続される。
【００７６】
延出部２４８は、当接部２４２と連続している。換言すれば、延出部２４８は、当接部２４２と一体に形成されている。このような、延出部２４８は、例えば、当接部２４２の一部に切れ込みを入れ、前方に向けて折り曲げた後、溶接や接着などで支持部２４４と接続することによって形成可能である。
【００７７】
これにより、延出部２４８は、上記実施形態の延出部２４６と同様に、当接部２４２と支持部２４４との間に設けられ、支持部２４４の縦揺れを抑制する縦揺れ抑制部として機能する。
【００７８】
支持材２４０ａは、左右方向に並べて設けられた２つの延出部２４８を有する。但し、延出部２４８の数は、２つに限ることなく、１つでもよいし、３つ以上でもよい。
【００７９】
２つの延出部２４８は、左右方向において切り欠き部２４４ａよりも内側に設けられている。換言すれば、２つの延出部２４８は、左右方向において、切り欠き部２４４ａの左右方向の最大の幅Ｗｍａｘの内側に設けられている。
【００８０】
このように、当接部２４２から支持部２４４側に延出し、支持部２４４と接続された延出部２４８を縦揺れ抑制部とした場合にも、上記実施形態と同様に、支持材２４０ａの支持部２４４に縦揺れをより発生し難くさせることができる。配管２６０の排水勾配を再度調整するなどの手間が発生することを、より確実に抑制し、浴室１０の浴室床の組立性をより向上させることができる。
【００８１】
図６は、実施形態に係る支持体の変形例を模式的に表す斜視図である。  
図６に表したように、支持材２４０ｂでは、上記実施形態の延出部２４６、２４８が、曲げ部２５０に置き換えられている。
【００８２】
曲げ部２５０は、当接部２４２と支持部２４４との境界部分において、当接部２４２の一部及び支持部２４４の一部を、当接部２４２と支持部２４４と入隅側に押し出すように曲げられている。このため、曲げ部２５０は、当接部２４２及び支持部２４４と連続している。曲げ部２５０は、当接部２４２及び支持部２４４と一体に形成されている。このような曲げ部２５０は、例えば、プレス加工などによって形成可能である。曲げ部２５０は、例えば、ビードと呼ばれる場合もある。
【００８３】
これにより、曲げ部２５０は、上記実施形態の延出部２４６、２４８と同様に、当接部２４２と支持部２４４との間に設けられ、支持部２４４の縦揺れを抑制する縦揺れ抑制部として機能する。
【００８４】
支持材２４０ｂは、左右方向に並べて設けられた２つの曲げ部２５０を有する。但し、曲げ部２５０の数は、２つに限ることなく、１つでもよいし、３つ以上でもよい。
【００８５】
２つの曲げ部２５０は、左右方向において切り欠き部２４４ａよりも内側に設けられている。換言すれば、２つの曲げ部２５０は、左右方向において、切り欠き部２４４ａの左右方向の最大の幅Ｗｍａｘの内側に設けられている。
【００８６】
このように、当接部２４２と支持部２４４との境界部分において当接部２４２の一部及び支持部２４４の一部を入隅側に押し出すように曲げた曲げ部２５０を縦揺れ抑制部とした場合にも、上記実施形態と同様に、支持材２４０ｂの支持部２４４に縦揺れをより発生し難くさせることができる。配管２６０の排水勾配を再度調整するなどの手間が発生することを、より確実に抑制し、浴室１０の浴室床の組立性をより向上させることができる。
【００８７】
また、曲げ部２５０が、左右方向において切り欠き部２４４ａよりも内側に設けられていることにより、支持材２４０ｂの支持部２４４に縦揺れを、さらに発生し難くさせることができる。
【００８８】
図７は、実施形態に係る支持体の変形例を模式的に表す斜視図である。  
図７に表したように、支持材２４０ｃは、上記実施形態の延出部２４６、２４８や曲げ部２５０に代えて、縦揺れ抑制部２５２を有している。
【００８９】
縦揺れ抑制部２５２は、当接部２４２と支持部２４４との間に設けられ、支持部２４４の縦揺れを抑制する。縦揺れ抑制部２５２は、当接部２４２と支持部２４４とを接続する。縦揺れ抑制部２５２は、例えば、当接部２４２の下端に設けられた支持部２４４の上面と当接部２４２の前面とを接続する。例えば、支持部２４４が当接部２４２の上端に設けられている場合には、縦揺れ抑制部２５２は、支持部２４４の下面と当接部２４２の前面とを接続する。
【００９０】
縦揺れ抑制部２５２は、当接部２４２及び支持部２４４の左右方向の端部に設けられている。支持材２４０ｃは、当接部２４２及び支持部２４４の左右方向の両端に設けられた一対の縦揺れ抑制部２５２を有する。一対の縦揺れ抑制部２５２は、上下方向及び前後方向に延びる板状である。一対の縦揺れ抑制部２５２は、当接部２４２及び支持部２４４とともに支持材２４０ｃを箱形状にする。これにより、当接部２４２と支持部２４４との間の強度を一対の縦揺れ抑制部２５２によって高め、支持部２４４の縦揺れを適切に抑制することができる。なお、縦揺れ抑制部２５２の数は、２つに限ることなく、１つでもよいし、３つ以上でもよい。
【００９１】
上記のように、一対の縦揺れ抑制部２５２は、当接部２４２及び支持部２４４の左右方向の両端に設けられている。このため、一対の縦揺れ抑制部２５２は、左右方向において切り欠き部２４４ａよりも外側に位置する。このように、縦揺れ抑制部２５２は、左右方向において切り欠き部２４４ａよりも外側に設けてもよい。延出部２４６、２４８や曲げ部２５０も同様に、左右方向において切り欠き部２４４ａよりも外側に設けてもよい。
【００９２】
このような縦揺れ抑制部２５２は、例えば、当接部２４２及び支持部２４４とは別に形成した後、溶接や接着などで当接部２４２及び支持部２４４に取り付けることによって形成可能である。縦揺れ抑制部２５２は、例えば、当接部２４２の端部を支持部２４４に向けて折り曲げることにより、当接部２４２と連続させて形成してもよい。反対に、縦揺れ抑制部２５２は、支持部２４４の端部を当接部２４２に向けて折り曲げることにより、支持部２４４と連続させて形成してもよい。このように、縦揺れ抑制部２５２を当接部２４２又は支持部２４４と連続させて形成する場合、縦揺れ抑制部２５２は、換言すれば、延出部である。
【００９３】
このように、縦揺れ抑制部２５２の構成は、延出部２４６、２４８や曲げ部２５０などに限定されることなく、当接部２４２と支持部２４４との間に設けられ、支持部２４４の縦揺れを抑制可能な任意の構成でよい。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０や支持材２４０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９５】
１０ 浴室、  １００ 架台、  １１０ 枠部、  １１０ｓ 側面、  １１２ 枠本体、  １１２ａ 構造材、  １１２ｂ 構造材、  １１４ 補強材、  １２０ 支持脚部、  ２００ 床基材、  ２０２ 排水口、  ２２０ 排水トラップ、  ２２２ 床接続部、  ２２２ｆ フランジ部、  ２２４ 浴槽接続部、  ２２６ 配管接続部、  ２３０ パッキン、  ２３２ ワッシャ、  ２３４ 締付フランジ、  ２３４ａ 円筒部、  ２３４ｂ フランジ部、  ２４０ 支持材、  ２４０ａ 支持材、  ２４０ｂ 支持材、  ２４０ｃ 支持材、  ２４２ 当接部、  ２４４ 支持部、  ２４４ａ 切り欠き部、  ２４６ 延出部、  ２４８ 延出部、  ２５０ 曲げ部、  ２５２ 縦揺れ抑制部、  ２６０ 配管、  ３００ 浴槽、  ３０２ リム、  ４００ 壁パネル、  ４０１ 第１壁パネル、  ４０２ 第２壁パネル、  ４０３ 第３壁パネル、  ４０４ 第４壁パネル、  ４０５ 第５壁パネル、  ４０６ 第６壁パネル、  ４０７ 第７壁パネル、  ４２０ 壁面接続部材、  ５００ ドア枠
【図１】
2020147942.tif 000003
【図２】
2020147942.tif 000004
【図３】
2020147942.tif 000005
【図４】
2020147942.tif 000006
【図５】
2020147942.tif 000007
【図６】
2020147942.tif 000008
【図７】
2020147942.tif 000009